(57)【要約】【課題】訓練者自身の体力に合った最適重量の錘チップを履物自体に着脱可能に装着することで、この錘チップが装着された履物本体を使って安全かつ効果的に足、足首、脚、膝、腰の筋力回復訓練や筋力増強訓練を簡単かつ安価な構成で容易に実施可能にする。【解決手段】足の指付近から踵を覆うように当該足に装着される履物本体１１の甲部１３に、錘チップ２２を出し入れ可能に収納する複数個のポケット１９を設け、これらのポケット１９の開口部周辺または全部を覆うように蓋片２０を設け、該ポケット１９内に収納された錘チップ２２が前記開口部から外に出ないように当該開口部をその蓋片２０で閉じて、さらにこの蓋片２０に、前記開口部の閉時に甲部１３に設けられた第１のファスナ２４に結合される第２のファスナ２３を設けた構成である。【選択図】図３
2014113426.tif 000002
【特許請求の範囲】
【請求項１】
足の指付近から踵を覆うように当該足に装着される履物本体の外表面にＩ又は複数形成され、
錘チップを出し入れ可能に収納する複数個のポケットと、
これらのポケットの開口部周辺または全部を覆うように設けられて、該ポケット内に収納された錘チップが前記開口部から外に出ないように当該開口部を閉じる蓋片と、
を備え、
該蓋片は、前記開口部の閉時に前記甲部に設けられた第１のファスナに結合される第２のファスナを有することを特徴とする運動補助用具。
【請求項２】
前記第１のファスナおよび第２のファスナは、相互に面結着可能な面ファスナであることを特徴とする請求項１記載の運動補助用具。
【発明の詳細な説明】
【技術分野】
【０００１】  本発明は、足、足首、脚、膝、腰の筋力回復訓練や筋力増進運動に用いる運動補助用具に関するものである。
【背景技術】
【０００２】  従来から、健常者のほか身障者や老人などが手首、肘、腕（上腕および前腕）の筋力回復訓練をするために、ダンベルが広く用いられている。このダンベルは人がこれを手で握って保持できる所定サイズ、形状、重量を持ち、鉛、真鍮、ステンレス鋼、鉄などの比較的比重の大きい材料により作られている（例えば、特許文献１参照）。【０００３】  一方、足、脚、膝などの筋力増強訓練を、ウェイトを用いて行う筋力訓練用器具も提案されている（例えば、特許文献２参照）。この筋力訓練用器具は、足の指でウェイトを握るというようなことは不可能である。このため、この筋力訓練用器具は、屈曲状態の膝もしくはその近傍部位を内側から拘束する内側拘束部と当該部位を外側から拘束する外側拘束部とをもつ左右一対の拘束部材と、これらの拘束部材を略水平軸回りに旋回可能に支持する旋回支持部材と、各拘束部材を所定の旋回角度で固定する旋回固定手段とを備えた構成としている。【０００４】  この筋力訓練用器具によれば、一方の脚の膝を屈曲させてその位置で当該膝もしくはその近傍部位を拘束部材により内側と外側とから拘束し、足先位置をほぼ動かさずに、拘束部材に対して膝もしくはその近傍部位を外側に押付ける外側押付け作業と内側に押付ける内側押付け作業とを行うことで、筋力力訓練を行うことができる。しかし、この筋力訓練用器具は構成が大掛かりで、複雑かつ高価であって、使用方法も煩雑であるため、訓練者がこれを家庭で使用するには向かない。【０００５】  また、鼻緒が取り付けられた金属製の下駄などの履物や金属製の足輪からなる筋力強化器具なども提案されているが、金属製の下駄では鼻緒が切れたり、鼻緒から足が簡単に外れたりすることによって、履物が落下して人に危害を加える場合がある。さらに、金属製の足輪ではこの足輪の移動によって足の皮膚の擦傷や裂傷を免れ得ないなどの不都合があった。【０００６】  これに対し、脚に巻き付けて使用可能なウェイトを持つベルトからなり、このベルトの外面に複数のポケットを形成するとともに、各ポケットにウェイトを挿抜可能に装填した筋力強化器が提案されている（例えば、特許文献３参照）。
【先行技術文献】
【特許文献】
【０００７】
【特許文献１】特開平１１−０１９２７０号公報
【特許文献２】再表９９／０２２８２１号公報
【特許文献３】特開２０００−０３７４７５号公報
【発明の概要】
【発明が解決しようとする課題】
【０００８】  しかしながら、かかる従来のウェイトを持つベルトからなる筋力強化器は、前述のように脚部に巻き付けて使用されるものであるため、踝（くるぶし）より上部の脚部や膝の筋肉の訓練には適するものの、踝より下方の足や足首にウェイトの荷重を及ぼすことができないので、これら各部位の筋力増強の訓練が行えないという不都合があった。また、ウェイトの重量を受けて脚に巻き付けられたベルトが訓練中にその脚の周りを滑りながら移動し、皮膚の損傷や裂傷を招き、結果として所期の筋力訓練を継続できないという不都合があった。【０００９】  本発明は、上述した事情に鑑みてなされたものであり、その目的は、足首を含む踝より下方の足、足首のほか、脚、膝、腰の筋力が衰えた健常者や身障者、老人などの訓練者が、自身の体力に合った最適重量の錘チップ（ウェイト）を履物自体に着脱可能に装着することで、この錘チップが装着された履物本体を使って安全かつ効果的に足、足首、脚、膝、腰の筋力回復訓練を簡単かつ安価な構成で容易に実施できる運動補助用具を提供することにある。
【課題を解決するための手段】
【００１０】  前述した目的を達成するために、本発明にかかる運動補助用具は、足の指付近から踵を覆うように当該足に装着される履物本体の外表面にＩ又は複数形成され、錘チップを出し入れ可能に収納する複数個のポケットと、これらのポケットの開口部周辺または全部を覆うように設けられて、該ポケット内に収納された錘チップが前記開口部から外に出ないように当該開口部を閉じる蓋片と、を備え、該蓋片は、前記開口部の閉時に前記甲部に設けられた第１のファスナに結合される第２のファスナを有することを特徴とする。【００１１】  この構成によれば、訓練者は履物本体を足に履いた状態にて、この履物本体の甲部に設けた前記蓋片を開いて全てのポケットを露出させることで、そのポケットの一部または全部に、訓練者の体力や運動能力に合った重量および個数の錘チップを簡単に収納することができる。また、これらの錘チップの収納後は再び全てのポケットを覆うように蓋片を閉じる方向に操作して、この蓋片に設けられた第２のファスナを前記甲部に設けられた第１のファスナに接合することで、訓練者が足を振る筋力訓練の諸動作をしても、蓋片はポケットから錘チップが脱出するのを防止する。【００１２】  また、履物は、足の指付近から踵部を包むように足に装着されるため、その履物は足を大きく振っても足首から抜け落ちることはなく、従って、錘チップのポケットからの脱出を回避しながら、履物を足に密着させた状態で、足首や脚部等の筋力回復訓練や筋力増強訓練を効果的に実施することができる。【００１３】  また、本発明にかかる運動補助用具は、第１のファスナおよび第２のファスナが相互に面結合可能な面ファスナを構成することを特徴とする。この構成によれば、面ファスナを含む蓋片の前記甲部表面からの突出量（突出厚み）をできるだけ小さく押さえながら、蓋片が不用意に開放することがない閉止力を保持可能にし、以って錘チップがポケットから容易に脱出または脱落するのを確実に回避することができる。
【発明の効果】
【００１４】  本発明によれば、訓練者が、自身の筋力に合った最適重量の錘チップ（ウェイト）を履物自体に着脱可能に装着することで、この錘チップが装着された履物本体を使って安全かつ効果的に足、足首をはじめ、脚、膝、腰の筋力回復訓練や筋力増強訓練を簡単かつ安価な構成で容易に実施できる。【００１５】  以上、本発明について簡潔に説明した。更に、以下に本発明を実施するための最良の形態を添付の図面を参照して詳細に説明する。
【図面の簡単な説明】
【００１６】
【図１】本発明の実施形態による運動補助用具を示す斜視図である。
【図２】図１における蓋片を省いて示した運動補助用具の斜視図である。
【図３】図１における蓋片を開いて示した運動補助用具の斜視図である。
【図４】図１に示した運動補助用具のポケットおよび蓋片の拡大縦断面図である。
【図５】図４に示した蓋片の開放状態におけるポケットおよび蓋片の拡大縦断面図である。
【図６】本発明の他の実施形態による運動補助用具を示す斜視図である。
【発明を実施するための形態】
【００１７】  以下、本発明の実施の形態にかかる運動補助用具を、図１乃至図５を参照して説明する。
【００１８】  図１〜図５はこの運動補助用具である運動靴を示す。この運動靴の、履物本体としての靴本体１１は、これを履く人の足を指から踵までを包む周知の基本構成を持ち、靴底であるソール１２と、このソール１２上に甲部（アッパー）１３とを一体に設けたものからなる。甲部１３は足の指部を覆う指保護部１４および足首を真直ぐに支えるように足首保護部１５とを有し、この靴本体１１を足に履いてその足を大きく振り込むような動作をしても、指が指保護部１４内に深く入り込むとともに、足首部付近や踵部付近がその足首保護部１５およびソール１２によって支えられているため、その運動靴が足から抜け落ちることはない。
【００１９】  また、甲部３には、足を開口部１６から靴本体内に挿入し易くするとともに、挿入された足をその靴本体１１にフィットさせるためのチャック１７が設けられている。このチャック１７は靴を履くときに開口部１６を拡張する方向に操作されることで、靴本体１１内への足の出し入れを容易化している。このチャック１７の下部であって、甲部１３の裏面側にはその挿入された足の甲部を保護する舌部（ベロ部）１８が一体に設けられている。
【００２０】  一方、この靴本体１１の甲部１３上面であって、チャック１７を挟む位置には、図２に示すような複数個のポケット１９が設けられている。これらのポケット１９は皮革または合成皮革のシート材を凸凹状に折り曲げて、甲部１３の上面とともにそれぞれ有底筒状に形成されている。また、チャック１７を挟む位置の甲部１３上面には、これらのポケット１９を覆うように皮革または合成皮革のシート材からなる蓋片２０が、図１に示すように取り付けられている。なお、ポケット１９を構成する前記シート材の凸部は、後述の錘チップ２２の収納部を構成し、凹部はこれに続く底部とともに甲部１３に縫合によって結着されている。
【００２１】  ポケット１９は靴本体１１の甲部１３の上面において、下部に向けて縦長となる矩形筒状、円筒状などの有底の筒状体をなし、上端の開口部２１から棒状の錘チップ２２を出し入れ可能に収納する。なお、ポケット１９は図４および図５に示すように有底構造であるため、前記の収納された錘チップ２２がポケット１９の下方へ脱落することはない。
【００２２】  一方、蓋片２０は前述のように皮革や合成皮革などの柔軟なシート材からなり、本実施形態では全体として長方形をなす。この蓋片２０は、チャック１７を挟む位置であって、このチャック１７付近の甲部１３上に、上部が所定幅に亘って接着剤を介して縫合されている。また、この蓋片２０は、図１および図４に示すように、前記ポケット１９の全体を覆うように垂下されていて、下端部の裏面には後述の第２のファスナ２４が縫合によって取り付けられている。
【００２３】  この第２のファスナ２４はポケット１９下部の甲部１３上に取り付けられた第１のファスナ２３に対して着脱可能となっている。従って、第１のファスナ２３を第２のファスナ２４に結合させた際には、蓋体２０が各ポケット１９の外側面を所定圧力で抑えるように覆うこととなる。従って、ポケット１９内に着脱可能に収納された錘チップ２２は脱出不可能となる。
【００２４】  第１のファスナ２３および第２のファスナ２４の締結強度は、靴本体１１に足を入れて、その足を大きく振り上げたり振り降ろしたりしても各ポケット１９内から錘チップ２２が脱出または脱落することがない大きさとされる。なお、第１のファスナ２３は甲部１４に、一方、第２のファスナ２４は蓋片２０に対してそれぞれ接着剤を介して接合され、さらに縫合されている。このため、これら相互の結合強度が十分に高められている。
【００２５】  次に、この靴本体１１を運動補助用具として使用する場合を説明する。先ず、健常者や身障者などの訓練者は靴本体１１のチャック１７を操作して開口部１６を大きく開き、その開口部１６から靴本体１１内に足を挿し入れる。足が十分にかつ正しく靴本体１１内に収まった後は、そのチャック１７を閉じる。これにより足の指、甲部および踵に靴本体１１がしっかりと保持され、仮に脚を大きく振り込む動作をしても、足から靴本体１１が外れることはない。
【００２６】  続いて、チャック１７の両側において、図１および図４に示すように、各ポケット１９を覆っている各蓋片２０の下縁に手の指を掛けるようにして、この蓋片２０の下部を図３および図５に示すように、矢印Ｐ方向に引上げる。これにより、第２のファスナ２４が第１のファスナ２３から引き剥がされるように分離し、各蓋片２０は上方に開かれて甲部１３上の全てのポケット１９が外方に露出する。
【００２７】  そこで、この露出した各ポケット１９の一部または全部に順次、錘チップ２２をこれらの各開口部１６から図５の矢印Ｑ方向に一本ずつ収納する。これらのポケット１９に対する錘チップ２２の収納個数は、訓練者の筋力、体力に応じた最適訓練となる個数に選ばれる。この場合において、錘チップ２２はチャック１７の両側にある同数のポケット１９に収納することが、足首に対する重量負荷のバランスをとる上で望ましい。
【００２８】  このように、ポケット１９の一部または全部に鉛チップ２２を収納した後は、蓋片２０を矢印方向Ｐとは逆方向に操作して、この蓋片２０によって全部のポケット１９を外側から覆う。この操作に続いて、第２のファスナ２４を甲部１３上の第１のファスナ２３に結合する。これにより蓋片２０は各ポケット１９の外側部を抑圧するとともに、これらのポケット１９の開口部２１を塞ぐこととなる。
【００２９】  この結果、各ポケット１９内に収納された錘チップ２２の、前記開口部２１からの不用意な脱落、脱出が規制される、従って、この運動靴を履いた訓練者が足を振り上げたり振り下ろしたりしても、錘チップ２２はポケット１９内に安定的に保持される。
【００３０】  このように、訓練者は靴本体１１を足に履いた状態にて、この靴本体１１の甲部１３に設けた蓋片２０を開いて全てのポケット１９を露出させることで、そのポケット１９の一部または全部に、訓練者の体力や運動機能に合った重量および個数の錘チップ２２を簡単に収納することができる。また、これらの錘チップ２２の収納後は再び全てのポケット１９を覆うように蓋片２０を閉じる方向に操作して、この蓋片２０に設けられた第２のファスナ２４を前記甲部１３に設けられた第１のファスナ２３に結合することで、その蓋片２０に、ポケット１９から錘チップ２２が脱出するのを規制させることができる。
【００３１】  この場合において、第１のファスナ２３および第２のファスナ２４は面ファスナを構成するものとしたので、この面ファスナの甲部１３表面からの突出量をできるだけ小さく抑えることができる。従って、この面ファスナを含む蓋片２０全体の厚みを薄く抑えながら、蓋片２０によりポケット１９から錘チップ２２が不用意に脱出するのを回避できる。
【００３２】  なお、前記においてはポケット１９を皮革や合成皮革の一枚のシート材を凸凹状に折り曲げて形成したものを例にして説明したが、各ポケット１９をそれぞれ個別に形成して、甲部１３に縫い付けた構成とすることは任意である。また、第１のファスナ２３および第２のファスナ２４は面ファスナを構成するものとして説明したが、これらの代えてフック形式、カギ嵌合形式、マグネット併用カギ嵌合形式などの公知の締結方法、手段を用いることは任意である。
【００３３】  図５は運動補助用具の履物本体が足袋３１である場合を示す。この足袋３１も、前述の靴本体１１と同様に、ソール３２とこのソール３２上に一体の甲部３３とを備え、甲部３３は指先保護部３４と踵部保護部３５とを有する。踵部保護部３５はソール３２との連結部を除いて左右方向に２分割され、この２分割部分が足の挿入口３６となっている。
【００３４】  この２分割部分である一方の開放片３７の縁部には金属性また合成樹脂性の４個のこはぜ３８が取り付けられており、他方の開放片３９の縁部にはそのこはぜ３８が挿入されて、そのこはぜ３８の抜け止めをするループ４０が設けられている。これらのループ４０は強度の高い繊維から作られている。
【００３５】  足袋３１の甲部３３には、図１〜図５に示したものと同様の複数のポケット１９および蓋片２０が設けられており、その各ポケット１９内に収納した錘チップ２２が蓋片２０によって覆われて、そのポケット１９内からの脱出または脱落が規制されている。この足袋３１では、足の挿入口３６から足を挿し入れ、前記分割部分の各開放片３７、３９を合わせるようにして、こはぜ３８をループ４０に挿し込んで抜け止めすることで、足の指から踵までをぴったり足袋３１に包ませることができる。
【００３６】  従って、足袋３１を履いた足を脚とともに大きく振り上げたり、振り下ろしたりしても、足袋３１は足から外れることはない。この結果、この錘チップ２２を備えた足袋３１用いた足、足首、脚、膝、腰の筋力回復や筋力増強の各訓練を、前記運動靴の場合と同様にして実施できる。
【００３７】  以上のように、本実施形態の運動補助用具は、足の指付近から踵を覆うように当該足に装着される靴本体１１等の履物本体の甲部１３に、錘チップ２２を出し入れ可能に収納する複数個のポケット１９と、これらのポケット１９の開口部２１周辺または全部を覆うように設けられて、該ポケット１９内に収納された錘チップ２２が開口部２１から外に出ないように当該開口部２１を閉じる蓋片２０と、を備えて、さらにこの蓋片２０に、前記開口部２１の閉時に甲部１３に設けられた第１のファスナ２３に結合される第２のファスナ２４を設けた構成である。
【００３８】  かかる構成により、訓練者は、自身の体力に合った最適重量の錘チップ２２を履物本体１１に着脱可能に装着することで、この錘チップ２２が装着された履物本体１１を使って安全かつ効果的に、足、足首をはじめ、脚、膝、腰の筋力回復訓練や筋力増強訓練を簡単かつ安価な構成で容易に実施することができることとなる。
【産業上の利用可能性】
【００３９】本発明の運動補助用具は、訓練者が、自身の体力に合った最適重量の錘チップ（錘チップ）を履物自体に着脱可能に装着することで、この錘チップが装着された履物本体を使って安全かつ効果的に足、足首をはじめ、脚、膝、腰の筋力回復等の訓練を簡単かつ安価な構成にて、容易に実施できるという効果を有し、足、足首脚、膝、腰の筋力回復訓練や筋力増強訓練に用いる運動補助用具等に有用である。
【符号の説明】
【００４０】  １１…靴本体（履物本体）、１２…ソール、１３…甲部、１４…指先保護部、１５…踵保護部、１６…開口部、１７…チャック、１８…ベロ部、１９…ポケット、２０…蓋片、２１…開口部、２２…錘チップ、２３…第１のファスナ、２４…第２のファスナ、３１…足袋（履物本体）、３２…ソール、３３…甲部、３４…指先保護部、３５…踵保護部、３６…挿入口、３７，３９…開放片、４０…ループ
【図１】
2014113426.tif 000003
【図２】
2014113426.tif 000004
【図３】
2014113426.tif 000005
【図４】
2014113426.tif 000006
【図５】
2014113426.tif 000007
【図６】
2014113426.tif 000008